(57)【要約】【課題】管理する作業員に関する情報が予め登録されていない場合であっても作業現場における作業員の行動を管理することができ、また、作業現場における作業員の位置を把握する。【解決手段】作業者管理票に記載された作業員に関する情報を画像データとして読み取る画像読取部１４と、作業員に携帯させる非接触型ＩＣカードからこの非接触型ＩＣカードのシリアル番号を読み出す情報読出部１６と、情報読出部１６にて非接触型ＩＣカードから読み出された非接触型ＩＣカードのシリアル番号を画像データに組み込む情報組込部１７と、非接触型ＩＣカードのシリアル番号が組み込まれた画像データを送信する通信部１８とを設ける。【選択図】図１
2006012025.tif 000002
【特許請求の範囲】
【請求項１】
用紙に記載された情報を読み取り、該情報を画像データとして送信する情報送信装置であって、
用紙に記載された情報を画像データとして読み取る画像読取手段と、
ＲＦ−ＩＤメディアから情報を読み出す情報読出手段と、
前記情報読出手段にてＲＦ−ＩＤメディアから読み出された情報を前記画像データに組み込む情報組込手段と、
ＲＦ−ＩＤメディアから読み出された情報が組み込まれた画像データを送信する送信手段とを有する情報送信装置。
【請求項２】
請求項１に記載の情報送信装置において、
前記情報読出手段にてＲＦ−ＩＤメディアから読み出された情報を暗号化する暗号化手段を有し、
前記情報組込手段は、前記情報読出手段にてＲＦ−ＩＤメディアから読み出された情報と、前記暗号化手段にて暗号化された情報とを前記画像データに組み込み、
前記送信手段は、ＲＦ−ＩＤメディアから読み出された情報及び暗号化された情報が組み込まれた画像データを送信することを特徴とする情報送信装置。
【請求項３】
請求項１に記載の情報送信装置を用いた情報管理システムであって、
前記情報送信装置から送信された画像データを受信する情報受信装置と、
ＲＦ−ＩＤメディアから情報を読み出し、読み出した情報を識別情報とともに送信する情報読出装置と、
前記情報受信装置にて受信された画像データを解析し、解析された画像データを、該画像データに組み込まれた情報を用いて管理し、前記情報読出装置から、該情報読出装置にてＲＦ−ＩＤメディアから読み出された情報と当該情報読出装置の識別情報が送信された場合に、前記情報読出装置にてＲＦ−ＩＤメディアから読み出された情報を用いて管理される画像データと、該情報とともに前記情報読出装置から送信された識別情報とを対応づけて管理する情報管理手段とを有する情報管理システム。
【請求項４】
請求項２に記載の情報送信装置を用いた情報管理システムであって、
前記情報送信装置から送信された画像データを受信する情報受信装置と、
ＲＦ−ＩＤメディアから情報を読み出し、読み出した情報を識別情報とともに送信する情報読出装置と、
前記情報受信装置にて受信された画像データを解析し、解析された画像データに組み込まれた前記暗号化された情報を復号化し、該復号化された情報を前記解析された画像データに組み込まれた情報と比較し、両者が一致した場合、前記解析された画像データを、該画像データに組み込まれた情報を用いて管理し、前記情報読出装置から、該情報読出装置にてＲＦ−ＩＤメディアから読み出された情報と当該情報読出装置の識別情報が送信された場合に、前記情報読出装置にてＲＦ−ＩＤメディアから読み出された情報を用いて管理される画像データと、該情報とともに前記情報読出装置から送信された識別情報とを対応づけて管理する情報管理手段とを有する情報管理システム。
【発明の詳細な説明】
【技術分野】
【０００１】
本発明は、ＦＡＸ送信機等のように、用紙に記載された情報を画像データとして読み取り、送信する情報送信装置及びこれを用いた情報管理システムに関する。
【背景技術】
【０００２】
一般的に、建物等の建築現場においては、１つの建築現場において様々な種類の作業が行われており、その作業のそれぞれが異なる作業員によって行われている。例えば、木工工事は大工が行い、電気工事は電気工事士が行う等といったように、作業の種類に応じた技術を有する作業員によって作業が行われている。
【０００３】
このように様々な作業員が入退場する作業現場においては、作業員の入退場や作業現場内での行動を管理するのが困難であるため、作業現場内のどこでどの作業員が作業しているかを容易に把握することができず、また、作業現場内で事故が発生した場合に適切な対応をすることができない。
【０００４】
ここで、作業現場に入退場する作業員に、作業員を特定可能なバーコード情報が印刷された個人カードをそれぞれ所持させるとともに、作業内容を特定可能なバーコード情報が印刷された作業ブックを用意しておき、作業員が作業を行う際に、バーコード情報を読み取り／送信可能な電話機にてこれらのバーコード情報を読み取ってホストに送信し、作業現場にて行われている作業内容とその作業を行っている作業員とを対応づけて管理する作業管理システムが考えられている（例えば、特許文献１参照。）。
【０００５】
この作業管理システムを用いれば、作業現場内でどの作業員が何の作業をしているかを把握することができるようになる。
【特許文献１】特開平７−２２９２９４号公報
【発明の開示】
【発明が解決しようとする課題】
【０００６】
しかしながら、上述したような作業管理システムにおいては、個人カードに印刷されたバーコード情報によって特定される作業員に関する情報を予め登録しておく必要があるため、情報が登録されていない作業員が作業現場に出向いても、その作業員の管理を行うことができないという問題点がある。
【０００７】
また、作業現場内でどの作業員が何の作業をしているかを把握することができるものの、作業現場内にてその作業を行う場所が特定されていない場合等において、作業員が現在作業を行っている場所を把握することができないという問題点がある。
【０００８】
本発明は、上述したような従来の技術が有する問題点に鑑みてなされたものであって、管理する作業員に関する情報が予め登録されていない場合であっても作業現場における作業員の行動を管理することができ、また、作業現場における作業員の位置を把握することができる情報送信装置及びこれを用いた情報管理システムを提供することを目的とする。
【課題を解決するための手段】
【０００９】
上記目的を達成するために本発明は、
用紙に記載された情報を読み取り、該情報を画像データとして送信する情報送信装置であって、
用紙に記載された情報を画像データとして読み取る画像読取手段と、
ＲＦ−ＩＤメディアから情報を読み出す情報読出手段と、
前記情報読出手段にてＲＦ−ＩＤメディアから読み出された情報を前記画像データに組み込む情報組込手段と、
ＲＦ−ＩＤメディアから読み出された情報が組み込まれた画像データを送信する送信手段とを有する。
【００１０】
また、前記情報読出手段にてＲＦ−ＩＤメディアから読み出された情報を暗号化する暗号化手段を有し、
前記情報組込手段は、前記情報読出手段にてＲＦ−ＩＤメディアから読み出された情報と、前記暗号化手段にて暗号化された情報とを前記画像データに組み込み、
前記送信手段は、ＲＦ−ＩＤメディアから読み出された情報及び暗号化された情報が組み込まれた画像データを送信することを特徴とする。
【００１１】
また、前記情報送信装置を用いた情報管理システムであって、
前記情報送信装置から送信された画像データを受信する情報受信装置と、
ＲＦ−ＩＤメディアから情報を読み出し、読み出した情報を識別情報とともに送信する情報読出装置と、
前記情報受信装置にて受信された画像データを解析し、解析された画像データを、該画像データに組み込まれた情報を用いて管理し、前記情報読出装置から、該情報読出装置にてＲＦ−ＩＤメディアから読み出された情報と当該情報読出装置の識別情報が送信された場合に、前記情報読出装置にてＲＦ−ＩＤメディアから読み出された情報を用いて管理される画像データと、該情報とともに前記情報読出装置から送信された識別情報とを対応づけて管理する情報管理手段とを有する。
【００１２】
また、前記情報送信装置を用いた情報管理システムであって、
前記情報送信装置から送信された画像データを受信する情報受信装置と、
ＲＦ−ＩＤメディアから情報を読み出し、読み出した情報を識別情報とともに送信する情報読出装置と、
前記情報受信装置にて受信された画像データを解析し、解析された画像データに組み込まれた前記暗号化された情報を復号化し、該復号化された情報を前記解析された画像データに組み込まれた情報と比較し、両者が一致した場合、前記解析された画像データを、該画像データに組み込まれた情報を用いて管理し、前記情報読出装置から、該情報読出装置にてＲＦ−ＩＤメディアから読み出された情報と当該情報読出装置の識別情報が送信された場合に、前記情報読出装置にてＲＦ−ＩＤメディアから読み出された情報を用いて管理される画像データと、該情報とともに前記情報読出装置から送信された識別情報とを対応づけて管理する情報管理手段とを有する。
【００１３】
上記のように構成された本発明においては、用紙に記載された情報が画像読取手段にて画像データとして読み取られ、また、情報読取手段にてＲＦ−ＩＤメディアから情報が読み出されると、情報組込手段において、情報読出手段にてＲＦ−ＩＤメディアから読み出された情報が画像データに組み込まれ、その後、ＲＦ−ＩＤメディアから読み出された情報が組み込まれた画像データが送信手段から送信される。
【００１４】
また、暗号化手段において、情報読出手段にてＲＦ−ＩＤメディアから読み出された情報が暗号化され、この暗号化された情報とＲＦ−ＩＤメディアから読み出された情報とが、情報組込手段にて画像データに組み込まれ、送信手段から送信される。
【発明の効果】
【００１５】
以上説明したように本発明においては、用紙に記載された情報を画像データとして読み取り、該情報を画像データとして送信する情報送信装置であって、用紙に記載された情報を画像データとして読み取る画像読取手段と、ＲＦ−ＩＤメディアから情報を読み出す情報読出手段と、情報読出手段にてＲＦ−ＩＤメディアから読み出された情報を画像データに組み込む情報組込手段と、ＲＦ−ＩＤメディアから読み出された情報が組み込まれた画像データを送信する送信手段とを有する構成としたため、この情報送信装置を作業現場に設置しておき、用紙に記載された作業員に関する情報を画像データとして読み取るとともに、ＲＦ−ＩＤメディアから情報を読み出せば、作業員に関する情報にＲＦ−ＩＤメディアから読み出された情報が組み込まれた画像データが送信され、この画像データを用いて作業員の作業等の行動が管理されることになり、それにより、作業員に関する情報が予め登録されていない場合であっても、ＲＦ−ＩＤメディアを作業員に携帯させれば、ＲＦ−ＩＤメディアから読み出された情報が組み込まれた画像データの送信先において、このＲＦ−ＩＤメディアを用いて作業員の作業等の行動を管理することができる。また、この際、ＲＦ−ＩＤメディアから読み出された情報が、用紙に記載され、画像データとして読み取られた作業員に関する情報に組み込まれて送信されるため、ＲＦ−ＩＤメディアから読み出された情報と画像データとして読み取られた情報とが、これらの情報の送信先において対応しなくなってしまうことがない。
【００１６】
また、情報読出手段にてＲＦ−ＩＤメディアから読み出された情報を暗号化する暗号化手段を有し、情報組込手段において、情報読出手段にてＲＦ−ＩＤメディアから読み出された情報と、暗号化手段にて暗号化された情報とを画像データに組み込み、また、送信手段において、ＲＦ−ＩＤメディアから読み出された情報及び暗号化された情報が組み込まれた画像データを送信するものにおいては、用紙に任意の情報を記載しておき、この情報を画像データに組み込んで送信した場合、画像データに組み込まれた情報がＲＦ−ＩＤメディアから読み出されたものではないことを認識することができる。これにより、ＲＦ−ＩＤメディアを携帯しない第三者が、悪意で用紙に任意の情報を記載して送信した場合にこれを検出することができる。
【００１７】
また、ＲＦ−ＩＤメディアから情報を読み出し、読み出した情報を識別情報とともに送信する情報読出装置を作業現場内に設置し、情報送信装置から送信された画像データを解析し、解析された画像データを、該画像データに組み込まれた情報を用いて管理しておき、情報読出装置から、該情報読出装置にてＲＦ−ＩＤメディアから読み出された情報と情報読出装置の識別情報が送信された場合に、情報読出装置にてＲＦ−ＩＤメディアから読み出された情報を用いて管理される画像データと、該情報とともに情報読出装置から送信された識別情報とを対応づけて管理すれば、作業現場内にて作業を行う場所が特定されていない場合等においても、ＲＦ−ＩＤメディアから情報を読み出した情報読出装置の設置場所に基づいて、作業員が現在作業を行っている場所を把握することができる。
【発明を実施するための最良の形態】
【００１８】
以下に、本発明の実施の形態について図面を参照して説明する。
【００１９】
（第１の実施の形態）
図１は、本発明の情報送信装置の第１の実施の形態を示す図であり、（ａ）は外観図、（ｂ）は機能構成を示すブロック図である。
【００２０】
本形態は図１（ａ）に示すように、受話器１と、送信先あるいは通話先を指定するためのダイヤルボタン２と、予め決められた機能を指定するためのファンクションキー３と、情報が表示されるディスプレイ４と、ＦＡＸ用紙を挿入するための用紙挿入部５と、受信したＦＡＸ用紙が排出される用紙排出部６と、ＲＦ−ＩＤメディアとなる非接触型ＩＣカードから情報を読み出すためのリーダー７とが設けられたＦＡＸ送受信機１０であって、その機能構成は図１（ｂ）に示すように、音声情報が入出力される音声入出力部１１と、キー操作によって情報が入力される情報入力部１２と、情報が表示される表示部１３と、ＦＡＸ用紙に記載された情報を画像データとして読み取る画像読取部１４と、受信した画像データをＦＡＸ用紙に印字する画像出力部１５と、ＲＦ−ＩＤメディアとなる非接触型ＩＣカードから情報を読み出すための情報読出部１６と、画像読取部１４にて読み取られた画像データに情報読出部１６にて非接触型ＩＣカードから読み出された情報を組み込む情報組込部１７と、通信回線と接続され、通信回線を介して情報の送受信を行う送信手段である通信部１８と、これら音声入出力部１１、情報入力部１２、表示部１３、画像読取部１４、画像出力部１５、情報読出部１６、情報組込部１７及び通信部１８の動作を制御する制御部１９とから構成されている。
【００２１】
音声入出力部１１は、受話器１を介して音声情報の入出力を行う。
【００２２】
また、情報入力部１２は、ダイヤルボタン２とファンクションキー３とからなり、ＦＡＸの送信先あるいは電話の通話先がダイヤルボタン２によって入力され、また、再ダイヤルや電話帳機能等、予め決められた機能がファンクションキー３によって指定される。
【００２３】
また、表示部１３は、通話先の電話番号等の情報をディスプレイ４に表示する。
【００２４】
また、画像読取部１４は、用紙挿入部５に挿入されたＦＡＸ用紙に記載された情報を画像データとして読み取る。
【００２５】
また、画像出力部１５は、通信回線を介して受信した画像データをＦＡＸ用紙に印字し、用紙排出部６から排出する。
【００２６】
また、情報読出部１６は、非接触型ＩＣカードがリーダー７に翳された場合に、この非接触型ＩＣカードから情報を読み出す。
【００２７】
また、情報組込部１７は、画像読取部１４にて読み取られた画像データに情報読出部１６にて非接触型ＩＣカードから読み出された情報を組み込む。
【００２８】
また、通信部１８は、通信回線と接続され、音声入出力部１１に入力された音声情報や、画像読取部１４にて読み取られた画像データや、情報組込部１７にて非接触型ＩＣカードから読み出された情報が組み込まれた画像データを通信回線を介して送信し、また、通信回線を介して送信されてきた情報を受信する。
【００２９】
以下に、上述したＦＡＸ送受信機１０を用いた情報管理システムについて説明する。
【００３０】
図２は、図１に示したＦＡＸ送受信機１０を用いた情報管理システムの一例を示す図である。
【００３１】
本例は図２に示すように、図１に示したＦＡＸ送受信機１０が作業現場１００に設置され、このＦＡＸ送受信機１０と通信回線３０を介して接続された情報受信装置であるＦＡＸサーバ４０と、ＦＡＸサーバ４０にて受信された画像データを解析、登録及び管理する情報管理サーバ５０と、作業現場１００内の複数の場所にそれぞれ設置され、非接触型ＩＣカードから情報を読み出し、読み出した情報を識別情報とともに出力する情報読出装置２１−１〜２１−ｎと、情報読出装置２１−１〜２１−ｎから出力された情報を通信回線３０を介して情報管理サーバ５０に送信する通信サーバ２０とから構成されている。なお、識別情報とは、情報読出装置２１−１〜２１−ｎのそれぞれを識別するために情報読出装置２１−１〜２１−ｎ毎に予め決められた情報であって、情報管理サーバ５０において、この識別情報と情報読出装置２１−１〜２１−ｎの設置場所等の情報とが対応付けられて管理されている。
【００３２】
また、情報管理サーバ５０は、ＦＡＸサーバ４０にて受信された画像データをＯＣＲ処理するＯＣＲ処理部５１と、ＯＣＲ処理部５１にてＯＣＲ処理されたデータを作業者情報データベース５３に登録して管理するとともに、この情報を通信サーバ２０から送られてきた情報を用いて管理する情報登録部５２とから構成されている。
【００３３】
以下に、上記のように構成された情報管理システムを用いて、作業現場１００で作業を行う作業員を管理する方法について説明する。
【００３４】
まず、作業現場１００において、作業現場１００で作業を行う作業員毎に作業者管理票を作成する。
【００３５】
図３は、図２に示した情報管理システムにて作業員を管理する場合に作成される作業者管理票を示す図である。
【００３６】
図３に示すように作業者管理票には、管理Ｎｏや、作業員の氏名、血液型、作業責任者の氏名を記入するための情報記入欄１０１と、作業員に携帯させる非接触型ＩＣカードに書き込まれたシリアル番号を記入するためのカードＮｏ記入欄１０２とが設けられている。
【００３７】
この作業者管理票の情報記入欄１０１に、管理Ｎｏや、作業員の氏名、血液型、作業責任者の氏名を記入し、作業者管理票をＦＡＸ送受信機１０の用紙挿入部５に挿入する。
【００３８】
また、その際、作業員に携帯させる非接触型ＩＣカードをＦＡＸ送受信機１０のリーダー７に翳すと、情報読出部１６において、リーダー７に翳された非接触型ＩＣカードから非接触型ＩＣカードのシリアル番号が読み出される。
【００３９】
図４は、図２に示した情報管理システムにおいて作業員に携帯させる非接触型ＩＣカードの一例を示す図であり、（ａ）は表面を示す図、（ｂ）は内部構造を示す図である。
【００４０】
図４に示すように、図２に示した情報管理システムにて作業員に携帯させる非接触型ＩＣカードの表面には、管理番号１０４とバーコード情報１０５とが記載されている。
【００４１】
また、内部には、この非接触型ＩＣカードのシリアル番号が書き込まれ、このシリアル番号が非接触状態にて読み出し可能に構成されたＩＣチップ１０６と、ＩＣチップ１０６と接続され、ＦＡＸ送受信機１０の情報読出部１６や、作業現場１００に設置された情報読出装置２１−１〜２１−ｎにてＩＣチップ１０６からシリアル番号を読み出すためのアンテナ１０７とが埋め込まれている。なお、非接触型ＩＣカードの表面に記載された管理番号１０４とＩＣチップ１０６に書き込まれたシリアル番号とは必ずしも一致させる必要は無いが、非接触型ＩＣカードを外部から見た場合であってもシリアル番号を判別できるように、一致させておくことが好ましい。
【００４２】
このように構成された非接触型ＩＣカードをＦＡＸ送受信機１０のリーダー７に翳すと、リーダー７からの電磁誘導によってアンテナ１０７に電流が流れ、この電流がＩＣチップ１０６に供給され、それにより、ＩＣチップ１０６に書き込まれたシリアル番号が情報読出部１６にて読み出されることになる。
【００４３】
その後、ＦＡＸサーバ４０のＦＡＸ番号をダイヤルボタン２によって指定すると、用紙挿入部５に挿入された作業者管理票がＦＡＸ送受信機１０内に挿入されていき、画像読取部１４において、作業者管理票に記入された管理Ｎｏや、作業員の氏名、血液型、作業責任者の氏名が画像データとして読み取られる。
【００４４】
すると、情報組込部１７において、画像読取部１４にて読み取られた画像データに、情報読出部１６にて非接触型ＩＣカードから読み出されたシリアル番号が組み込まれる。なお、情報組込部１７においては、画像データへのシリアル番号の組み込み位置が、図３に示した作業者管理票のカードＮｏ記入領域となるように予め設定されている。
【００４５】
情報組込部１７にて非接触型ＩＣカードのシリアル番号が組み込まれた画像データは、制御部１９の制御によって通信部１８から通信回線３０を介してＦＡＸサーバ４０に送信される。なお、制御部１９においては、ＦＡＸサーバ４０のＦＡＸ番号がダイヤルボタン２によって指定されているため、情報組込部１７にて非接触型ＩＣカードのシリアル番号が組み込まれた画像データをＦＡＸサーバ４０に送信するように通信部１８が制御される。
【００４６】
ＦＡＸ送受信機１０から送信された画像データが通信回線３０を介してＦＡＸサーバ４０にて受信されると、ＦＡＸサーバ４０にて受信された画像データは情報管理サーバ５０に送られる。
【００４７】
図５は、ＦＡＸ送受信機１０から送信され、ＦＡＸサーバ４０にて受信された画像データの一例を示す図である。
【００４８】
図５に示すように、ＦＡＸ送受信機１０から送信され、ＦＡＸサーバ４０にて受信された画像データにおいては、図３に示した作業者管理票のカードＮｏ記入欄１０２に、非接触型ＩＣカードのシリアル番号１０３が組み込まれている。
【００４９】
ＦＡＸサーバ４０にて受信された画像データが情報管理サーバ５０に送られると、情報管理サーバ５０においては、まず、ＯＣＲ処理部５１において、ＦＡＸサーバ４０から送られてきた画像データがＯＣＲ処理され、それにより、情報記入領域１０１に記入された管理Ｎｏや、作業員の氏名、血液型、作業責任者の氏名と、カードＮｏ記入領域１０２に組み込まれたシリアル番号１０３とが電子データに変換される。
【００５０】
ＯＣＲ処理部５１にて画像データから変換された電子データは情報登録部５２に送られる。
【００５１】
情報登録部５２においては、まず、ＯＣＲ処理部５１から送られてきた電子データが解析され、情報記入領域１０１に記入された管理Ｎｏや、作業員の氏名、血液型、作業責任者の氏名と、カードＮｏ記入領域１０２に組み込まれたシリアル番号１０３とがそれぞれ認識される。この認識は、図５に示したような作業者管理票における情報記入欄１０１及びカードＮｏ記入欄１０２のそれぞれの座標情報を情報登録部５２に登録しておき、この座標情報を用いて行うことや、非接触型ＩＣカードのシリアル番号特有の文字列を情報登録部５２に登録しておき、この文字列を用いて、ＯＣＲ処理部５１から送られてきた電子データの中から非接触型ＩＣカードのシリアル番号を認識すること等が考えられる。
【００５２】
次に、情報登録部５２において、作業者管理票に記入された、管理Ｎｏや、作業員の氏名、血液型、作業責任者の氏名が、非接触型ＩＣカードのシリアル番号と対応づけて作業者情報データベース５３に登録されて管理される。なお、本形態においては、作業者管理票の情報記入領域１０１に、管理Ｎｏや、作業員の氏名、血液型、作業責任者の氏名が記入され、これらの情報が、作業員に携帯させる非接触型ＩＣカードのシリアル番号と対応づけて管理されているが、作業員の公的資格や疾病情報等、作業員に関する任意の情報を作業者管理票の情報記入領域１０１に記入しておけば、これらの情報と作業員に携帯させる非接触型ＩＣカードのシリアル番号とを対応づけて管理することもできる。
【００５３】
その後、作業員が作業現場１００内で作業を行う場合、作業現場１００内に設置された情報読出装置２１−１〜２１−ｎのうち、作業を行う場所に設置された情報読出装置に作業員が携帯する非接触型ＩＣカードを翳すと、非接触型ＩＣカードが翳された情報読出装置において、非接触型ＩＣカードからこの非接触型ＩＣカードのシリアル番号が読み出され、読み出されたシリアル番号が、この情報読出装置を識別可能な識別情報とともに通信サーバ２０及び通信回線３０を介して情報管理サーバ５０に送信される。
【００５４】
すると、情報管理サーバ５０の情報登録部５２においては、通信サーバ２０及び通信回線３０を介して送信されてきたシリアル番号に対応づけて管理されている作業員の氏名等の作業員に関する情報が作業者情報データベース５３から検索され、検索された情報によって特定される作業員が、通信サーバ２０及び通信回線３０を介してシリアル番号とともに送信されてきた識別情報によって特定される情報読出装置が設置された場所で作業を行っていることが認識されることになる。なお、情報管理サーバ５０においては、上述したように、作業現場１００に設置された情報読出装置２１−１〜２１−ｎのそれぞれについて、その設置場所と識別情報とが対応づけて管理されており、それにより、情報読出装置２１−１〜２１−ｎから送信されてきた識別情報によってその情報読出装置の設置場所を特定することができる。
【００５５】
なお、本形態においては、ＦＡＸサーバ４０のＦＡＸ番号をダイヤルボタン２によって指定しているが、作業員が所持する非接触型ＩＣカードにＦＡＸサーバ４０のＦＡＸ番号を書き込んでおき、情報読出部１６にて非接触型ＩＣカードから非接触型ＩＣカードのシリアル番号を読み出した際に、非接触型ＩＣカードからＦＡＸサーバ４０のＦＡＸ番号も読み出して送信先をＦＡＸサーバ４０に指定することも考えられる。この場合、情報読出部１６にて非接触型ＩＣカードから読み出されたＦＡＸサーバ４０のＦＡＸ番号は制御部１９を介して通信部１８に通知され、通信部１８において、情報組込部１７にて非接触型ＩＣカードのシリアル番号が組み込まれた画像データが、情報読出部１６から通知されたＦＡＸ番号によって指定されるＦＡＸサーバ４０に送信されることになる。
【００５６】
また、本形態においては、作業管理票のレイアウトが１種類であって、それにより、情報組込部１７において、画像読取部１４にて読み取られた画像データへのシリアル番号の組み込み位置が予め設定されているが、単なるＦＡＸ機能を含め、様々なレイアウトを有する帳票を適用可能とすることも考えられる。その場合、ＦＡＸ送受信機１０及び情報管理サーバ５０に予め複数の帳票レイアウト情報を登録することや、帳票に帳票を識別可能な識別コードを付与することにより、上記同様の処理を行うことが可能となる。
【００５７】
（第２の実施の形態）
図６は、本発明の情報送信装置の第２の実施の形態を示す図であり、（ａ）は外観図、（ｂ）は機能構成を示すブロック図である。
【００５８】
本形態は図６に示すように、図１に示したものに対して、情報読出部１６にて非接触型ＩＣカードから読み出した非接触型ＩＣカードのシリアル番号を暗号化する情報暗号化部９が設けられている点のみが異なるものである。
【００５９】
以下に、上述したＦＡＸ送受信機１１０を、図２に示した情報管理システムにてＦＡＸ送受信機１０の代わりに用いた場合に、作業現場１００で作業を行う作業員を管理する方法について説明する。
【００６０】
まず、作業現場１００において、作業現場１００で作業を行う作業員毎に図３に示したような作業者管理票を作成し、この作業者管理票をＦＡＸ送受信機１１０の用紙挿入部５に挿入する。
【００６１】
また、その際、作業員に携帯させる非接触型ＩＣカードをＦＡＸ送受信機１１０のリーダー７に翳すと、情報読出部１６において、リーダー７に翳された非接触型ＩＣカードから非接触型ＩＣカードのシリアル番号が読み出され、情報暗号化部９において、情報読出部１６にて読み出された非接触型ＩＣカードのシリアル番号がＦＡＸ送受信機１１０のＦＡＸ番号を用いて暗号化される。ここで、情報暗号化部９における暗号化処理は、例えば、非接触型ＩＣカードのシリアル番号にＦＡＸ送受信機１１０のＦＡＸ番号を加算することや、非接触型ＩＣカードのシリアル番号とＦＡＸ送受信機１１０のＦＡＸ番号とを乗算することや、非接触型ＩＣカードのシリアル番号をＦＡＸ送受信機１１０のＦＡＸ番号によって除算し、その余りを暗号化情報とすること等が考えられる。
【００６２】
その後、ＦＡＸサーバ４０のＦＡＸ番号をダイヤルボタン２によって指定すると、用紙挿入部５に挿入された作業者管理票がＦＡＸ送受信機１０内に挿入されていき、画像読取部１４において、作業者管理票に記入された管理Ｎｏや、作業員の氏名、血液型、作業責任者の氏名が画像データとして読み取られる。
【００６３】
すると、情報組込部１７において、画像読取部１４にて読み取られた画像データに、情報読出部１６にて非接触型ＩＣカードから読み出されたシリアル番号と、情報暗号化部９にて暗号化された情報とが組み込まれる。
【００６４】
情報組込部１７にて非接触型ＩＣカードのシリアル番号及び暗号化された情報が組み込まれた画像データは、制御部１９の制御によって通信部１８から通信回線３０を介してＦＡＸサーバ４０に送信される。なお、制御部１９においては、ＦＡＸサーバ４０のＦＡＸ番号がダイヤルボタン２によって指定されているため、情報組込部１７にて非接触型ＩＣカードのシリアル番号及び暗号化された情報が組み込まれた画像データをＦＡＸサーバ４０に送信するように通信部１８が制御される。
【００６５】
ＦＡＸ送受信機１０から送信された画像データが通信回線３０を介してＦＡＸサーバ４０にて受信されると、ＦＡＸサーバ４０にて受信された画像データは情報管理サーバ５０に送られる。
【００６６】
図７は、ＦＡＸ送受信機１１０から送信され、ＦＡＸサーバ４０にて受信された画像データの一例を示す図である。
【００６７】
図７に示すように、ＦＡＸ送受信機１１０から送信され、ＦＡＸサーバ４０にて受信された画像データにおいては、図３に示した作業者管理票のカードＮｏ記入欄１０２に、非接触型ＩＣカードのシリアル番号１０３が組み込まれているとともに、ＦＡＸ送受信機１１０の情報暗号化部９にて暗号化された暗号化情報１０８が組み込まれている。
【００６８】
ＦＡＸサーバ４０にて受信された画像データが情報管理サーバ５０に送られると、情報管理サーバ５０においては、まず、ＯＣＲ処理部５１において、ＦＡＸサーバ４０から送られてきた画像データがＯＣＲ処理され、それにより、情報記入領域１０１に記入された管理Ｎｏや、作業員の氏名、血液型、作業責任者の氏名と、カードＮｏ記入領域１０２に組み込まれたシリアル番号１０３と、暗号化情報１０８とが電子データに変換される。
【００６９】
ＯＣＲ処理部５１にて画像データから変換された電子データは情報登録部５２に送られ、情報登録部５２において、まず、ＯＣＲ処理部５１から送られてきた電子データが解析され、情報記入領域１０１に記入された管理Ｎｏや、作業員の氏名、血液型、作業責任者の氏名と、カードＮｏ記入領域１０２に組み込まれたシリアル番号１０３と、暗号化情報１０８とがそれぞれ認識される。なお、この認識は、第１の実施の形態にて説明したものと同様にして行うことが考えられる。
【００７０】
次に、情報登録部５２において、ＯＣＲ処理された暗号化情報１０８が復号化され、復号化された情報とカードＮｏ記入領域１０２に組み込まれたシリアル番号１０３とが比較される。ここで、ＦＡＸサーバ４０においては、ＦＡＸ送受信機１１０から送信された画像データが受信された際に、この画像データの送信元のＦＡＸ番号、すなわち、ＦＡＸ送受信機１１０のＦＡＸ番号が取得されており、このＦＡＸ番号が情報管理サーバ５０に画像データとともに通知され、情報登録部５２において、ＯＣＲ処理された暗号化情報１０８が、ＦＡＸサーバ４０から通知されたＦＡＸ送受信機１１０のＦＡＸ番号を用いて復号化されることになる。
【００７１】
情報登録部５２においては、復号化された情報とカードＮｏ記入領域１０２に組み込まれたシリアル番号１０３とが一致した場合、作業者管理票に記入された、管理Ｎｏや、作業員の氏名、血液型、作業責任者の氏名が、非接触型ＩＣカードのシリアル番号と対応づけて作業者情報データベース５３に登録されて管理される。
【００７２】
その後、作業員が作業現場１００内で作業を行う場合、作業現場１００内に設置された情報読出装置２１−１〜２１−ｎのうち、作業を行う場所に設置された情報読出装置に作業員が携帯する非接触型ＩＣカードを翳すと、非接触型ＩＣカードが翳された情報読出装置において、非接触型ＩＣカードからこの非接触型ＩＣカードのシリアル番号が読み出され、読み出されたシリアル番号が、この情報読出装置を識別可能な識別情報とともに通信サーバ２０及び通信回線３０を介して情報管理サーバ５０に送信される。
【００７３】
すると、情報管理サーバ５０の情報登録部５２においては、通信サーバ２０及び通信回線３０を介して送信されてきたシリアル番号に対応づけて管理されている作業員の氏名等の作業員に関する情報が作業者情報データベース５３から検索され、検索された情報によって特定される作業員が、通信サーバ２０及び通信回線３０を介してシリアル番号とともに送信されてきた識別情報によって特定される情報読出装置が設置された場所で作業を行っていることが認識されることになる。なお、情報管理サーバ５０においては、上述したように、作業現場１００に設置された情報読出装置２１−１〜２１−ｎのそれぞれについて、その設置場所と識別情報とが対応づけて管理されており、それにより、情報読出装置２１−１〜２１−ｎから送信されてきた識別情報によってその情報読出装置の設置場所を特定することができる。
【００７４】
上述したように本形態においては、ＦＡＸ送受信機１１０の情報暗号化部９において、非接触型ＩＣカードのシリアル番号をＦＡＸ送受信機１１０のＦＡＸ番号を用いて暗号化し、情報管理サーバ５０において、同様にＦＡＸ送受信機１１０のＦＡＸ番号を用いて復号化し、復号化された情報と画像データに組み込まれた情報とを照合しているため、図３に示したような作業者管理票のカードＮｏ記入欄１０２に任意の情報を記載しておき、この情報を画像データに組み込んで送信した場合に、カードＮｏ記入欄１０２に記入された情報が非接触型ＩＣカードから読み出されたものではないことを認識することができる。
【００７５】
なお、本形態においては、ＦＡＸ送受信機１１０の情報暗号化部９において、非接触型ＩＣカードのシリアル番号をＦＡＸ送受信機１１０のＦＡＸ番号を用いて暗号化し、情報管理サーバ５０において、同様にＦＡＸ送受信機１１０のＦＡＸ番号を用いて復号化しているが、その他に、非接触型ＩＣカードのシリアル番号を公開鍵方式を用いて暗号化及び復号化することも考えられる。
【００７６】
その場合、まず、秘密鍵と公開鍵のペアを生成し、登録しておく。
【００７７】
その後、ＦＡＸ送受信機１１０の情報暗号化部９において、情報読出部１６にて非接触型ＩＣカードから読み出したシリアル番号が秘密鍵で暗号化され、上記同様に、情報読出部１６にて非接触型ＩＣカードから読み出したシリアル番号と暗号化された情報とが画像データに組み込まれて送信される。
【００７８】
ＦＡＸ送受信機１１０から送信された画像データを受信する情報管理サーバ５０においては、登録された公開鍵を取得しておき、ＦＡＸ送受信機１１０から送信された画像データが通信回線３０及びＦＡＸサーバ４０を介して情報管理サーバ５０にて受信されると、情報管理サーバ５０において、受信された画像データが上記同様にＯＣＲ処理され、その後、ＯＣＲ処理された情報のうち、暗号化情報１０８が公開鍵で復号化され、復号化された情報と復号化された情報とカードＮｏ記入領域１０２に組み込まれたシリアル番号１０３とが比較される。両者が一致した場合は、暗号化情報１０８が秘密鍵で暗号化されたものであることが証明され、画像データの送信元が所定の送信元であることが確認されることになる。
【００７９】
なお、上述した２つの実施の形態においては、情報送信装置として、ＦＡＸ送受信機１０，１１０を例に挙げて説明したが、本発明はこれに限らず、インターネットに接続可能な端末と、この端末に接続され、用紙に記載された情報を画像データとして読み取るスキャナーと、この端末に接続され、ＲＦ−ＩＤメディアから情報を読み出すリーダーとから情報送信装置を構成することも考えられる。その場合、スキャナーにて読み取られた画像データが端末に送られ、また、リーダーにてＲＦ−ＩＤメディアから読み出された情報が端末に送られ、端末において、スキャナーから送られてきた画像データにリーダーから送られてきた情報を組み込み、その後、その画像データをインターネットを介して所定の送信先に送信することになる。
【図面の簡単な説明】
【００８０】
【図１】本発明の情報送信装置の第１の実施の形態を示す図であり、（ａ）は外観図、（ｂ）は機能構成を示すブロック図である。
【図２】図１に示したＦＡＸ送受信機を用いた情報管理システムの一例を示す図である。
【図３】図２に示した情報管理システムにて作業員を管理する場合に作成される作業者管理票を示す図である。
【図４】図２に示した情報管理システムにおいて作業員に携帯させる非接触型ＩＣカードの一例を示す図であり、（ａ）は表面を示す図、（ｂ）は内部構造を示す図である。
【図５】ＦＡＸ送受信機から送信され、ＦＡＸサーバにて受信された画像データの一例を示す図である。
【図６】本発明の情報送信装置の第２の実施の形態を示す図であり、（ａ）は外観図、（ｂ）は機能構成を示すブロック図である。
【図７】ＦＡＸ送受信機から送信され、ＦＡＸサーバにて受信された画像データの一例を示す図である。
【符号の説明】
【００８１】
１    受話器
２    ダイヤルボタン
３    ファンクションキー
４    ディスプレイ
５    用紙挿入部
６    用紙排出部
７    リーダー
９    情報暗号化部
１０，１１０    ＦＡＸ送受信機
１１    音声入出力部
１２    情報入力部
１３    表示部
１４    画像読取部
１５    画像出力部
１６    情報読出部
１７    情報組込部
１８    通信部
１９    制御部
２０    通信サーバ
２１−１〜２１−ｎ    情報読出装置
３０    通信回線
４０    ＦＡＸサーバ
５０    情報管理サーバ
５１    ＯＣＲ処理部
５２    情報登録部
５３    作業者情報データベース
１００    作業現場
１０１    情報記入領域
１０２    カードＮｏ記入領域
１０３    シリアル番号
１０４    管理番号
１０５    バーコード情報
１０６    ＩＣチップ
１０７    アンテナ
１０８    暗号化情報
【図１】
2006012025.tif 000003
【図２】
2006012025.tif 000004
【図３】
2006012025.tif 000005
【図４】
2006012025.tif 000006
【図５】
2006012025.tif 000007
【図６】
2006012025.tif 000008
【図７】
2006012025.tif 000009